(57)【要約】【課題】  デジタル放送受信機で選局を行う際、選局時間を短縮するためにデジタル放送受信機を複数台用意し、各受信機がマイコンの予測した情報を送受信するモジュールを別途搭載することなく、選局時間の短縮を実現する。【解決手段】  デジタル放送受信機が外部入力を使用している間、選局情報を取得する。受信機制御部が外部入力から視聴に切替わったとき、受信機制御部が、取得済みの選局情報を用いて、ＴＳ処理部に複数のフィルタリングを同時に設定し、取得順序に依存せず選局情報を取得することにより、選局情報の取得待ち時間を短縮し、選局時間を短縮する。【選択図】図１
2009296085.tif 000002
【特許請求の範囲】
【請求項１】
デジタル放送波を受信するチューナと、
前記チューナにより受信した放送波のストリームを制御するＴＳ処理部と、
前記ストリームの選局情報を記録する選局情報格納部と、
前記チューナと前記ＴＳ処理部と前記設定情報格納部を制御する受信機制御部とを有し、
前記受信機制御部は、前記チューナを使用しないときに、前記チューナと前記ＴＳ処理部を制御してストリームの選局情報を取得し、前記選局情報格納部に記録し、
前記チューナを使用するときに、前記選局情報格納部の選局情報を参照して、前記チューナと前記ＴＳ処理部を制御することを特徴とするデジタル放送受信機。
【請求項２】
受信機制御部と制御信号入力とチューナ制御部とＴＳ処理部と設定情報格納部と選局情報収集部と選局情報格納部とを備えたデジタル放送受信機であって、
該受信機制御部は、該制御信号入力部から外部入力への切替要求を受信した場合、該選局情報収集部に通知し、
該選局情報収集部は、該受信機制御部が外部入力を使用している間、該設定情報格納部から受信周波数を取得して該チューナ制御部に設定し、該ＴＳ処理部に対してＰＡＴの設定を開始し、
該ＴＳ処理部は、ＰＡＴを受信した場合、該ＰＡＴを該選局情報収集部に設定し、その後、該選局情報収集部は、ＰＭＴの設定を該ＴＳ処理部に行い、該ＴＳ処理部は、該ＰＭＴを取得した場合、該ＰＭＴを該選局情報収集部に設定し、
該選局情報格納部は、該選局情報収集部がＰＡＴ、ＰＭＴを取得した場合、ＰＡＴのバージョン番号、ＰＡＴのＣＲＣ、ＰＭＴのＰＩＤ、ＰＭＴのバージョン番号、ＰＭＴのＣＲＣ、ＥＣＭのＰＩＤ、ビデオＰＥＳのＰＩＤ、オーディオＰＥＳのＩＤ、字幕ＰＥＳのＰＩＤを含む選局情報を格納する機能を有することを特徴とするデジタル放送受信機。
【請求項３】
請求項２に記載のデジタル放送受信機であって、
該受信機制御部は、外部入力から視聴に切り替わったとき、該選局情報格納部から取得した選局情報を用いて、該ＴＳ処理部に複数のフィルタリングを同時に設定し、
該ＴＳ処理部は、選局情報をフィルタリングで取得できた順に取得する機能を有することを特徴とするデジタル放送受信機。
【発明の詳細な説明】
【技術分野】
【０００１】
本発明は、地上デジタル放送受信機やＢＳ／ＣＳデジタル放送受信機の選局時間を短縮する技術に関するものである。
【背景技術】
【０００２】
デジタル放送ではアナログのオーディオビデオ信号をデジタル圧縮して放送しているために、元のアナログのオーディオビデオ信号に伸長復号する必要がある。また、デジタル放送では、高精細、高音質・多機能音声、電子番組表、番組情報、データ放送等、多くの機能が追加されており、デジタル化された放送波にこれらの情報が取り込まれている。このため、放送波を受信するとストリーム情報を抽出し、パケット解析して目標の情報を取得する必要がある。したがって、ユーザがリモコンで選局してから番組を視聴可能になるまでの時間がアナログ放送受信時と比較すると非常に長くなるという課題である。
【０００３】
また、この伸長復号に要する時間が長いために、ユーザがリモコンで選局してから番組を視聴可能になるまでの時間がアナログ放送受信時と比較すると非常に長くなるという課題である。ユーザが番組を順次切り換えて番組内容をチェックしようとすると番組切り換えごとに長い時間待たされる、というのがこの課題の顕著な例である。
【０００４】
デジタル放送受信機の選局時間を短縮する技術としては、例えば特許文献１に記載のものがある。特許文献１では、ネットワークを介して複数のデジタル放送受信機を接続し、デジタル放送受信機内部のマイコンを用いて、次にユーザが選局する番組を予測し、視聴に使われていない受信機にその予測番組の選局を指示し、そこでデコードされた映像／音声データを取得する。ユーザが次に選局した番組と、マイコンを用いて予測した番組が一致した場合、視聴に使われていない受信機が選局している番組をデジタル放送受信機のモニタに表示し、選局時間を短縮する。
【０００５】
【特許文献１】特開２００６−１５７４９６号公報
【発明の開示】
【発明が解決しようとする課題】
【０００６】
しかし、従来技術では、選局時間を短縮するためにデジタル放送受信機を複数台利用し、各受信機は選局のための情報を送受信するモジュールを別途搭載する必要がある。
【課題を解決するための手段】
【０００７】
本発明は上記課題に鑑みて為されたものであり、その目的は、デジタル放送受信機と、ＡＶ(Audio Visual)機器などを接続した環境において、デジタル放送受信機の外部入力を使用している間、デジタル放送受信機の未使用のチューナを利用してＰＡＴ(Program Association Table)、ＰＭＴ(Program Map Table)を収集し、外部入力から視聴に切り替わったとき、前記ＰＡＴ、前記ＰＭＴの情報を基に、ＰＡＴ、ＰＭＴ、ＥＣＭ(Entitlement Control Message)、ビデオＰＥＳ(Packetized Elementary Stream)、オーディオＰＥＳ、字幕ＰＥＳ取得の設定を同時に開始することにより、デジタル放送受信機が受信するＴＳ(Transport Stream)から番組を構成する情報を効率的に収集し、機器特有のプロトコルを用いることなく選局時間を短縮する技術を提供することにある。
【０００８】
上記目的を達成するために、本発明は、以下の技術を提供するものである。
【０００９】
すなわち、本発明に係る選局時間の短縮を実現するデジタル放送受信機は、制御信号入力部と、受信機制御部と、チューナ制御部と、ＴＳ処理部と、選局情報収集部と、選局情報格納部とを備え、該受信機制御部は、該制御信号入力部から外部入力への切替要求を受信した場合、該選局情報収集部に外部入力切替要求の発生を通知する。
【００１０】
該選局情報収集部は、外部入力を使用している間、該選局情報格納部から受信周波数を読み出し、該チューナ制御部に設定する。該選局情報収集部は、該ＴＳ処理部にＰＡＴのＰＩＤ(Packet Identifier)を設定し、該ＴＳ処理部からＰＡＴを取得した後、該ＴＳ処理部にＰＭＴのＰＩＤを設定し、該ＴＳ処理部からＰＭＴを取得する。
【００１１】
また、該選局情報収集部は、該ＴＳ処理部から取得したＰＡＴのバージョン番号、ＰＡＴのＣＲＣ、ＰＭＴのバージョン番号、ＰＭＴのＣＲＣ、ＥＣＭのＰＩＤ、ビデオＰＥＳのＰＩＤ、オーディオＰＥＳのＰＩＤ、字幕ＰＥＳのＰＩＤを含む選局情報を該選局情報格納部に格納し、該選局情報収集部が選局情報を収集する処理を再開するために保持している受信周波数を更新する。
【００１２】
該受信機制御部は、外部入力から視聴に切替わると、該選局情報格納部から選局情報を取得し、該ＴＳ処理部に同時に設定する。該ＴＳ処理部は、該受信機制御部から設定されたＰＡＴ、ＰＭＴ、ＥＣＭ、ビデオＰＥＳ、オーディオＰＥＳ、字幕ＰＥＳのいずれかを、チューナが受信できた順番に取得する機能を有することを特徴とする。
【００１３】
上記構成によれば、受信機制御部が外部入力を使用している間、ＴＳ処理部から選局情報を取得することが可能となる。また、受信機制御部が、外部入力から視聴に切替わったとき、選局情報をＴＳ処理部に同時に設定し、ＴＳ処理部は、選局情報の順番に依存することなく、チューナが受信できた順番に選局情報を取得することが可能となる。
【００１４】
これにより、選局情報の取得待ち時間を短縮し、選局時間を短縮することが可能となる。
【発明の効果】
【００１５】
以上説明したように、本発明のデジタル放送受信機は、ＴＳ処理部からの選局情報の取得待ち時間を短縮し、選局時間を短縮することが可能となる。このため、デジタル放送受信機の使い勝手が向上する。
【発明を実施するための最良の形態】
【００１６】
本発明の実施例を図１〜図１５を用いて詳細に説明する。
【実施例１】
【００１７】
図１は、本発明のデジタル放送受信機における第一の実施例である。本実施例におけるデジタル放送受信機1は、受信機制御部１０１、制御信号入力部１０２、設定情報格納部１０３、チューナ制御部１０４、チューナ１０５、選局情報格納部１０６、ＴＳ処理部１０７、Ｂ−ＣＡＳ(BS-Conditional Access System)カード１０８、デスクランブラ１０９、デコード制御部１１０、出力制御部１１１、表示切替制御部１１２、選局情報収集部１１３から構成される。
【００１８】
受信機制御部１０１は、デジタル放送受信機１を制御し、通常視聴状態や外部入力状態や電源ＯＦＦ状態を持ち、各状態間を遷移する。ここで、通常視聴状態とは、デジタル放送受信機１が受信した映像／音声を表示器２に出力している状態を示す。また、外部入力状態とは、デジタル放送受信機１と接続されたＡＶ機器などの映像／音声出力をデジタル放送受信機１の外部入力から受信し、表示器２に出力している状態を示す。
【００１９】
受信機制御部１０１は、通常視聴状態の場合、制御信号入力部１０２から選局要求とともにサービスＩＤを受信すると、出力制御部１１１の映像／音声出力を停止し、ＴＳ処理部１０７のフィルタリング処理を停止し、受信したサービスＩＤに対応する受信周波数を設定情報格納部１０３から取得し、サービスＩＤに対応する選局情報を選局情報格納部１０６から取得する。
【００２０】
ここで、フィルタリング処理とは、受信機制御部１０１がＴＳ処理部１０７にセクションのＰＩＤ、またはＰＥＳのＰＩＤを設定し、ＴＳ処理部１０７が、ＴＳ処理部１０７に設定されたセクションのＰＩＤ、またはＰＥＳのＰＩＤに一致するＴＳパケットをチューナ１０５から取得する処理を示す。
【００２１】
また、ここで、選局情報とは、ＰＡＴのバージョン番号、ＰＡＴのＣＲＣ、ＰＭＴのＰＩＤ、ＰＭＴのバージョン番号、ＰＭＴのＣＲＣ、ＥＣＭのＰＩＤ、ビデオＰＥＳのＰＩＤ、オーディオＰＥＳのＰＩＤ、字幕ＰＥＳのＰＩＤを含むセクションデータ、および、ＰＥＳデータを示す。
【００２２】
受信機制御部１０１は、チューナ制御部１０４に、サービスＩＤに対応する受信周波数を設定し、ＴＳ処理部１０７に選局情報のフィルタリング設定を同時に開始する。
【００２３】
ＰＡＴ、ＰＭＴを受信した場合、ＴＳ処理部１０７は、受信機制御部１０１にＰＡＴ、ＰＭＴを設定する。
【００２４】
詳細には、受信機制御部１０１は、ＴＳ処理部１０７から取得したＰＡＴのバージョン番号、ＰＡＴのＣＲＣ、ＰＭＴのバージョン番号、ＰＭＴのＣＲＣのいずれかと、選局情報格納部１０６から取得したＰＡＴのバージョン番号、ＰＡＴのＣＲＣ、ＰＭＴのバージョン番号、ＰＭＴのＣＲＣのいずれかに変更のある場合、受信機制御部１０１のＰＡＴのバージョン番号、ＰＡＴのＣＲＣ、ＰＭＴのバージョン番号、ＰＭＴのＣＲＣを、ＴＳ処理部１０７から取得したＰＡＴ、ＰＭＴで更新し、選局情報格納部１０６のサービスＩＤに対応する選局情報を、ＴＳ処理部１０７から取得した選局情報で更新する。
【００２５】
ＥＣＭを受信した場合、ＴＳ処理部１０７は、Ｂ−ＣＡＳカード１０８にＥＣＭを設定し、デスクランブルに必要な復号鍵を取得する。
【００２６】
ビデオＰＥＳ、オーディオＰＥＳ、字幕ＰＥＳを受信した場合、ＴＳ処理部１０７は、ビデオＰＥＳ、オーディオＰＥＳ、字幕ＰＥＳから、ビデオＥＳ、オーディオＥＳ、字幕ＥＳを生成し、ビデオＥＳ、オーディオＥＳ、字幕ＥＳの各ＰＴＳ(Presentation Time Stamp)を受信機制御部１０１に設定し、ビデオＥＳ、オーディオＥＳ、字幕ＥＳと各ＥＳの復号鍵をデスクランブラ１０９に設定する。
【００２７】
受信機制御部１０１は、ビデオＥＳ、オーディオＥＳ、字幕ＥＳの各ＰＴＳを表示が完了するまで保持する。
【００２８】
デスクランブラ１０９は、ビデオＥＳ、オーディオＥＳ、字幕ＥＳのデスクランブル処理を行い、デスクランブルしたビデオＥＳ、オーディオＥＳ、字幕ＥＳを、ＴＳ処理部１０７に設定する。
【００２９】
ＴＳ処理部１０７は、デスクランブルされたビデオＥＳ、オーディオＥＳ、字幕ＥＳと各ＤＴＳ(Decoding Time Stamp)をデコード制御部１１０に設定する。
【００３０】
デコード処理部１１０は、ビデオＥＳ、オーディオＥＳ、字幕ＥＳの各ＤＴＳに基づき、ビデオＥＳ、オーディオＥＳ、字幕ＥＳをデコードし、該デコード結果を出力制御部１１１に設定する。
【００３１】
受信機制御部１０１は、デコード結果と各ＰＴＳに基づき映像／音声出力タイミングを設定し、出力制御部１１１が各ＰＴＳに基づきデコード結果映像／音声を表示器２に出力する。
【００３２】
また、受信機制御部１０１は、制御信号入力部１０２から外部入力切替要求を受信すると、表示切替制御部１１２に入力切替の設定を行う。受信機制御部１０１が、通常視聴状態から外部入力状態に切替わったとき、選局情報収集部１１３は、選局情報格納部１０６から、選局情報を収集する処理を再開するための受信周波数を読出し、チューナ制御部１０４に受信周波数を設定する。
【００３３】
選局情報収集部１１３は、ＴＳ処理部１０７にＰＡＴのフィルタリング設定を行い、ＴＳ処理部１０７からＰＡＴを取得し、選局情報収集部１１３に保持する。
【００３４】
選局情報収集部１１３は、ＴＳ処理部１０７にＰＭＴのフィルタリング設定を行い、ＴＳ処理部１０７からＰＭＴを取得する。また、選局情報収集部１１３は、ＴＳ処理部１０７から取得した選局情報を、選局情報格納部１０６に保存格納する。
【００３５】
さらに、選局情報収集部１１３は、選局情報格納部１０６に選局情報を格納後、ＴＳ処理部１０７のフィルタリング処理を停止し、選局情報収集部１１３が保持する受信周波数を更新して、更新された受信周波数を、選局情報格納部１０６に格納する。
【００３６】
受信機制御部１０１が外部入力状態の場合、選局情報収集部１１３は、ＴＳ処理部１０７から選局情報を取得し、選局情報格納部１０６に格納する。
【００３７】
受信機制御部１０１が通常視聴状態の場合、受信機制御部１０１は、選局情報格納部１０６から選局情報を取得し、ＴＳ処理部１０７に選局情報を用いて複数のフィルタリングを同時に設定する。
【００３８】
以上より、ＴＳ処理部１０７は、選局情報の順番に依存することなく、チューナが受信できる順番に選局情報を取得することが可能となる。これにより、ＴＳ処理部１０７は、選局情報の取得待ち時間を短縮できるため、選局時間を短縮することが可能となる。
【００３９】
図２は、本発明のデジタル放送受信機の機器接続構成の例を示した図である。デジタル放送受信機１は、表示器２、デジタル放送受信機３、ＡＶ機器４、ゲーム機５と、例えば、ＨＤＭＩケーブル、コンポジットケーブル、無線ＬＡＮなどを介して接続される。
【００４０】
デジタル放送受信機１は、デジタル放送受信機３、ＡＶ機器４、ゲーム機５から映像／音声出力信号を受信し、受信した前記映像／音声出力信号を表示器２に出力する。
【００４１】
図３は、本発明のデジタル放送受信機の選局時間短縮の概念を示した図である。従来の選局技術では、ＰＡＴを最初に取得する必要があり、選局を開始した後(３０１)、ＰＡＴ１(３１０)が取得できるまでは、ＰＭＴ１(３０５)、ＥＣＭ１(３０６)、ビデオＰＥＳ１(３０７)、オーディオＰＥＳ(３０８)、字幕ＰＥＳ１(３０９)を取得できない。そのため、選局情報を取得するまでｔ２の時間を要していた(３０３)。
【００４２】
本発明の選局技術では、予め選局情報が取得できているため、選局を開始した後(３０１)、ＰＭＴ１(３０５)、ＥＣＭ１(３０６)、ビデオＰＥＳ(３０７)、オーディオＰＥＳ(３０８)、字幕ＰＥＳ(３０９)を取得することができる。これにより、選局情報の取得待ち時間をｔ１に短縮することが可能となる(３０２)。
【００４３】
以上より、従来技術と比較して、選局にかかる時間を△の時間だけ短縮できる(３０４)。
【００４４】
次に、図４を用いて、受信機制御部１０１の処理の流れを詳細に説明する。図４は、受信機制御部１０１の処理の流れを示した図である。受信機制御部１０１は、受信機制御部１０１の状態を、通常視聴状態に初期化する(４０１)。このとき、設定情報格納部１０３から、最終視聴サービスフラグが「”１”」のサービスＩＤと受信周波数を取得する。
【００４５】
受信機制御部１０１の状態が、通常視聴状態から他の状態に変化しているか判定する(４０２)。通常視聴状態から他の状態に変化している場合、受信機制御部１０１の保持するサービスＩＤと受信周波数を、設定情報格納部１０３に保存する(４０３)。通常視聴状態から他の状態に変化していない場合、他の状態から通常視聴状態に変化しているか判定する(４０４)。
【００４６】
他の状態から通常視聴状態に変化している場合、最終視聴サービスフラグが「”１”」のサービスＩＤと受信周波数を、設定情報格納部１０３から取得する(４０５)。他の状態から通常視聴状態に変化していない場合、受信機制御部１０１の状態を判定する(４０６)。
【００４７】
この結果、受信機制御部１０１が通常視聴状態の場合、通常視聴(４０７)の処理を行う。受信機制御部１０１が外部入力状態の場合、選局情報取得(４０９)の処理を行う。受信機制御部１０１が電源ＯＦＦ状態の場合、デジタル放送受信機１の停止処理を行う(４１２)。
【００４８】
そして、通常視聴(４０７)の処理、または選局情報取得(４０９)の処理を行った後、通常視聴状態から他の状態に変化しているか判定する(４０２)。
【００４９】
図５は、設定情報格納部１０３のテーブルの詳細を示した図である。設定情報格納部１０３のテーブルは、サービスＩＤ(５０１)、受信周波数(５０２)、ＴＳ−ＩＤ(５０３)、最終視聴サービスフラグ(５０４)から構成される。最終視聴サービスフラグ(５０４)は、最後に受信したサービスに対して「”１”」を格納するものである。それ以外のサービスには「”０”」を格納する。
【００５０】
次に、図６〜図１５を用いて、受信機制御部１０１の通常視聴(４０７)の処理の流れを詳細に説明する。
【００５１】
図６は、通常視聴の処理の流れを示した図である。受信機制御部１０１は、制御信号入力部１０２から選局要求があるか判定する(６０１)。選局要求がある場合、受信機制御部１０１は、出力制御部１１１の映像／音声出力を停止する(６０２)。選局要求がない場合、ＴＳ処理部１０７からＰＡＴ、ＰＭＴ、ＥＣＭ、ビデオＰＥＳ、オーディオＰＥＳ、字幕ＰＥＳを取得する(６１０)。
【００５２】
受信機制御部１０１は、出力制御部１１１の映像／音声出力を停止した後、ＴＳ処理部１０７のフィルタリング設定を停止する(６０３)。受信機制御部１０１は、フィルタリング設定を停止した後、ＰＡＴ、ＰＭＴの取得フラグを「”０”」に設定する(６０４)。
【００５３】
また、受信機制御部１０１は、ＰＡＴ、ＰＭＴの取得フラグの設定を終了した後、設定情報格納部１０３から、選局要求とともに受信したサービスＩＤに対応する受信周波数を取得する(６０５)。
【００５４】
受信機制御部１０１は、設定情報格納部１０３から取得した受信周波数と、受信機制御部１０１の保持する受信周波数に変更があるか判定する(６０６)。受信周波数に変更がある場合、受信機制御部１０１は、チューナ制御部１０４に、サービスＩＤに対応する受信周波数を設定する(６０７)。受信周波数に変更がない場合、受信機制御部１０１は、選局情報格納部１０６から選局情報を読み出す。ここで、ＢＳ／ＣＳデジタル放送の場合、ＴＳ−ＩＤも併せて読み出す(６０８)。
【００５５】
受信機制御部１０１は、選局情報格納部１０６から選局情報を読出した後、ＴＳ処理部１０７に複数のフィルタリングの設定を同時に開始する(６０９)。受信機制御部１０１は、ＴＳ処理部１０７からＰＡＴ、ＰＭＴ、ビデオＰＥＳのＰＴＳ、オーディオＰＥＳのＰＴＳ、字幕ＰＥＳのＰＴＳを取得し(６１０)、出力制御部１１１の出力のタイミングを設定する(６１１)。
【００５６】
図７は、選局情報格納部１０６の地上デジタル放送のテーブルの詳細を示した図である。選局情報格納部１０６の地上デジタル放送のテーブルは、サービスＩＤ(７０１)、受信周波数(７０２)、ＰＡＴのバージョン番号(７０３)、ＰＡＴのＣＲＣ(７０４)、ＰＭＴのＰＩＤ(７０５)、ＰＭＴのバージョン番号(７０６)、ＰＭＴのＣＲＣ(７０７)、ＥＣＭのＰＩＤ(７０８)、ビデオＰＥＳのＰＩＤ(７０９)、オーディオＰＥＳのＰＩＤ(７１０)、字幕ＰＥＳのＰＩＤ(７１１)、選局情報収集フラグ(７１２)から構成される。
【００５７】
選局情報格納部１０６のテーブルに格納する選局情報は、受信機制御部１０１が外部入力状態の間に、ＴＳ処理部１０７がチューナ１０５から受信する。ＴＳ処理部１０７がフィルタリング処理を行う際、字幕のＰＩＤが含まれないサービスの場合、前記サービスの字幕のＰＩＤに「”０”」を格納する。選局情報収集部１１３は、選局情報収集フラグ(７１２)が「”１”」のサービスの情報を基に、ＴＳ処理部１０７から選局情報を取得する。
【００５８】
図８は、選局情報格納部１０６のＢＳ／ＣＳデジタル放送のテーブルの詳細を示した図である。選局情報格納部１０６のＢＳ／ＣＳデジタル放送のテーブルは、サービスＩＤ(８０１)、受信周波数(８０２)、ＴＳ−ＩＤ(８０３)、ＰＡＴのバージョン番号(８０４)、ＰＡＴのＣＲＣ(８０５)、ＰＭＴのＰＩＤ(８０６)、ＰＭＴのバージョン番号(８０７)、ＰＭＴのＣＲＣ(８０８)、ＥＣＭのＰＩＤ(８０９)、ビデオＰＥＳのＰＩＤ(８１０)、オーディオＰＳＥのＰＩＤ(８１１)、字幕ＰＥＳのＰＩＤ(８１２)、選局情報収集フラグ(８１３)から構成される。
【００５９】
ＢＳ／ＣＳデジタル放送は、１つの受信周波数に複数放送局のサービスを含むため、サービスＩＤ、受信周波数の他にＴＳ−ＩＤを用いて、サービスを指定する。
【００６０】
選局情報格納部１０６のテーブルに格納する選局情報は、受信機制御部１０１が外部入力状態の間に、ＴＳ処理部１０７がチューナ１０５から受信する。
【００６１】
ＴＳ処理部１０７がフィルタリング処理を行う際、字幕のＰＩＤが含まれないサービスの場合、前記サービスの字幕のＰＩＤに「”０”」を格納する。
【００６２】
選局情報収集部１１３は、選局情報収集フラグ(８１３)が「”１”」のサービスの情報を基に、ＴＳ処理部１０７から選局情報を取得する。
【００６３】
図９は、通常視聴状態のＴＳ処理部１０７の選局情報取得処理の流れを示した図である。これは、図６のＴＳ処理部１０７から選局情報を取得する処理(６０８)に対応する。ＴＳ処理部１０７は、ＰＡＴ、ＰＭＴ、ＥＣＭ、ビデオＰＥＳ、オーディオＰＥＳ、字幕ＰＥＳのいずれかを取得した場合(９０１)、取得した情報の種別を判定する(９０２)。
【００６４】
ＰＡＴを取得した場合、ＴＳ処理部１０７は、ＰＡＴ処理を行う(９０３)。ＰＭＴを取得した場合、ＴＳ処理部１０７は、ＰＭＴ処理を行う(９０４)。ＴＳ処理部１０７は、ＰＡＴ処理(９０３)、ＰＭＴ処理(９０４)を行った後、ＰＡＴ、ＰＭＴ、ＥＣＭ、ビデオＰＥＳ、オーディオＰＥＳ、字幕ＰＥＳのいずれかを取得する処理に移る(９０１)。
【００６５】
ＥＣＭを取得した場合、ＴＳ処理部１０７は、ＥＣＭ処理を行う(９０５)。
【００６６】
ビデオＰＥＳ、オーディオＰＥＳ、字幕ＰＥＳを取得した場合、ＴＳ処理部１０７は、ビデオＰＥＳ／オーディオＰＥＳ／字幕ＰＥＳ処理を行う(９０７)。ＴＳ処理部１０７は、ＥＣＭ処理(９０５)、ビデオＰＥＳ／オーディオＰＥＳ／字幕ＰＥＳ処理(９０７)を行った後、ＰＡＴ、ＰＭＴの取得フラグが「”１”」に設定されているか判定する(９０６)。
【００６７】
ＰＡＴ、ＰＭＴの取得フラグが「”１”」に設定されている場合、ＴＳ処理部１０７は、受信機制御部１０１の選局情報取得処理(６０８)を終了する。ＰＡＴ、ＰＭＴの取得フラグが「”１”」に設定されていない場合、ＴＳ処理部１０７は、ＰＡＴ、ＰＭＴ、ＥＣＭ、ビデオＰＥＳ、オーディオＰＥＳ、字幕ＰＥＳのいずれかを取得する処理に移る(９０１)。
【００６８】
図１０は、通常視聴状態の受信機制御部のＰＡＴに対する処理の流れを示した図である。これは、図９の、ＰＡＴ処理(９０３)に対応する。受信機制御部１０１は、ＴＳ処理部１０７から取得したＰＡＴのバージョン番号と、選局情報格納部１０６から取得したＰＡＴのバージョン番号に変更があるか判定する(１００１)。
【００６９】
ＰＡＴのバージョン番号に変更がある場合、受信機制御部１０１は、ＴＳ処理部１０７のＰＭＴのフィルタリングの設定を、ＴＳ処理部１０７から取得したＰＡＴを用いて更新する(１００３)。
【００７０】
ＰＡＴのバージョン番号に変更がない場合、受信機制御部１０１は、ＴＳ処理部１０７から取得したＰＡＴのＣＲＣと、選局情報格納部１０６から取得したＰＡＴのＣＲＣに変更があるか判定を行う(１００２)。
【００７１】
ＰＡＴのＣＲＣに変更がある場合、受信機制御部１０１は、ＴＳ処理部１０７のＰＭＴのフィルタ設定を、ＴＳ処理部１０７から取得したＰＡＴを用いて更新する(１００３)。ＰＡＴのＣＲＣに変更がない場合、受信機制御部１０１は、ＰＡＴ取得フラグを「”１”」に設定し処理を終了する(１００６)。
【００７２】
受信機制御部１０１は、ＴＳ処理部１０７のＰＭＴのフィルタリング設定後、受信機制御部１０１の保持するＰＡＴを、ＴＳ処理部１０７から取得したＰＡＴを用いて更新し(１００４)、選局情報格納部１０６に格納されたＰＡＴを、ＴＳ処理部１０７から取得したＰＡＴを用いて更新し(１００５)、ＰＡＴ取得フラグを「”１”」に設定する(１００６)。
【００７３】
図１１は、通常視聴時の受信機制御部１０１のＰＭＴに対する処理の流れを示した図である。これは、図９の、ＰＭＴ処理(９０４)に対応する。受信機制御部１０１は、ＴＳ処理部１０７から取得したＰＭＴのバージョン番号と、選局情報格納部１０６から取得したＰＭＴのバージョン番号に変更があるか判定する(１１０１)。
【００７４】
ＰＭＴのバージョン番号に変更がある場合、受信機制御部１０１は、ＴＳ処理部１０７のＥＣＭ、ビデオＰＥＳ、オーディオＰＥＳ、字幕ＰＥＳのフィルタリング設定を、ＴＳ処理部１０７から取得したＰＭＴを用いて更新(１１０３)する。ＰＭＴのバージョン番号に変更がない場合、受信機制御部１０１は、ＴＳ処理部１０７から取得したＰＭＴのＣＲＣと、選局情報格納部１０６から取得したＰＭＴのＣＲＣに変更があるか判定する(１１０２)。
【００７５】
ＰＭＴのＣＲＣに変更がある場合、受信機制御部１０１は、ＴＳ処理部１０７のＥＣＭ、ビデオＰＥＳ、オーディオＰＥＳ、字幕ＰＥＳのフィルタリング設定を、ＴＳ処理部１０７から取得したＰＭＴを用いて更新する(１１０３)。ＰＭＴのＣＲＣに変更がない場合、受信機制御部１０１は、ＰＭＴ取得フラグを「”１”」に設定し処理を終了する(１１０６)。
【００７６】
受信機制御部１０１は、ＴＳ処理部１０７にＥＣＭ、ビデオＰＥＳ、オーディオＰＥＳ、字幕ＰＥＳのフィルタリング設定した後、受信機制御部１０１の保持するＰＭＴを、ＴＳ処理部１０７から取得したＰＭＴを用いて更新し(１１０４)、選局情報格納部１０６に格納されたＰＭＴを、ＴＳ処理部１０７から取得したＰＭＴを用いて更新し(１１０５)、ＰＭＴ取得フラグを「”１”」に設定する(１１０６)。
【００７７】
図１２は、通常視聴時のＴＳ処理部１０７のＥＣＭに対する処理の流れを示した図である。これは、図９の、ＥＣＭ処理(９０５)に対応する。ＴＳ処理部１０７は、Ｂ−ＣＡＳカード１０８にＥＣＭを設定し(１２０１)、Ｂ−ＣＡＳカード１０８からデスクランブルに必要な復号鍵を取得する(１２０２)。
【００７８】
図１３は、通常視聴時のＴＳ処理部１０７のビデオＰＥＳ、オーディオＰＥＳ、字幕ＰＥＳに対する処理の流れを示した図である。これは、図９の、ビデオＰＥＳ／オーディオＰＥＳ／字幕ＰＥＳ処理(９０７)に対応する。
【００７９】
ＴＳ処理部１０７は、チューナ１０５からビデオＰＥＳ、オーディオＰＥＳ、字幕ＰＥＳのいずれかを取得した場合、デスクランブルに必要な復号鍵を取得済みか判定する(１３０１)。復号鍵を取得済みの場合、ＴＳ処理部１０７は、デスクランブラ１０９にビデオＰＥＳ、オーディオＰＥＳ、字幕ＰＥＳと復号鍵を設定し(１３０２)、ビデオＰＥＳ、オーディオＰＥＳ、字幕ＰＥＳのスクランブルを解除する。
【００８０】
復号鍵を取得済みでない場合、ＴＳ処理部１０７は、ビデオＰＥＳ、オーディオＰＥＳ、字幕ＰＥＳから、ビデオＥＳ、オーディオＥＳ、字幕ＥＳを生成する(１３０４)。
【００８１】
ＴＳ処理部１０７は、ビデオＰＥＳ、オーディオＰＥＳ、字幕ＰＥＳのスクランブルを解除した後、受信機制御部１０１に各ＰＴＳを設定し(１３０３)、ビデオＰＥＳ、オーディオＰＥＳ、字幕ＰＥＳから、ビデオＥＳ、オーディオＥＳ、字幕ＥＳを生成し(１３０４)、ビデオＥＳ、オーディオＥＳ、字幕ＥＳと各ＤＴＳをデコード制御部１１０に設定する(１３０５)。
【００８２】
図１４は、通常視聴時のデコード制御部１１０の処理の流れを示した図である。デコード制御部１１０は、取得したビデオＥＳ、オーディオＥＳ、字幕ＥＳがデスクランブル済みか判定する(１４０１)。ビデオＥＳ、オーディオＥＳ、字幕ＥＳがデスクランブル済みの場合、デコード制御部１１０は、各ＤＴＳに基づきビデオＥＳ、オーディオＥＳ、字幕ＥＳをデコードし(１４０２)、デコード結果を出力制御部１１１に出力する(１４０３)。ビデオＥＳ、オーディオＥＳ、字幕ＥＳがデスクランブル済みでない場合、処理を終了する。
【００８３】
図１５は、選局情報収集部１１３の処理の流れを示した図である。これは、図４の、選局情報取得(４０８)の処理に対応する。選局情報収集部１１３は、選局情報格納部１０６の管理するテーブルから、選局情報収集フラグが「”１”」の受信周波数を読出し(１５０１)、チューナ制御部１０４に前記受信周波数を設定する(１５０２)。
【００８４】
次に、選局情報収集部１１３は、ＴＳ処理部１０７にＰＡＴのフィルタリング設定を行う(１５０３)。選局情報収集部１１３は、ＴＳ処理部１０７からＰＡＴを取得し、選局情報収集部１１３で保持する(１５０４)。選局情報収集部１１３は、ＴＳ処理部１０７からＰＡＴ取得後、ＴＳ処理部１０７にＰＭＴのフィルタリング設定を行う(１５０５)。選局情報収集部１１３は、ＴＳ処理部１０７からＰＭＴを取得する(１５０６)。選局情報収集部１１３は、前記ＰＡＴ、前記ＰＭＴから取得した選局情報を、選局情報格納部１０６に格納する(１５０７)。
【００８５】
次に、選局情報収集部１１３は、ＴＳ処理部１０７のＰＡＴ、ＰＭＴのフィルタリングを停止し(１５０８)、選局情報収集部１１３の保持する受信周波数を更新し(１５０９)、選局情報格納部１０６に更新後の受信周波数を格納し、選局情報格納部１０６の、更新された受信周波数に対応する選局情報収集フラグに「”１”」を設定する(１５１０)。
【００８６】
以上説明した実施例によれば、受信機制御部１０１が外部入力を使用している間、選局情報収集部１１３は、ＴＳ処理部１０７から選局情報を取得し、選局情報格納部１０６に格納することが可能となる。
【００８７】
また、受信機制御部１０１が、外部入力から視聴に切替わったとき、受信機制御部１０１は、選局情報格納部１０６から取得した選局情報を用いて、ＴＳ処理部１０７に複数のフィルタリングを同時に設定し、ＴＳ処理部１０７は、選局情報の順番に依存することなく、チューナが受信できる順番に選局情報を取得することが可能となる。
【００８８】
これにより、デジタル放送受信機は、デジタル放送を視聴する際、選局情報の取得待ち時間を短縮し、選局時間を短縮することが可能となる。
【図面の簡単な説明】
【００８９】
【図１】本発明の第１の実施例のデジタル放送受信機のブロック図である。
【図２】本発明のデジタル放送受信機の機器接続構成図である。
【図３】本発明のデジタル放送受信機の選局情報収集時間短縮の概念図である。
【図４】本発明のデジタル放送受信機の受信機制御部のフローチャート図である。
【図５】本発明のデジタル放送受信機の設定情報格納部のテーブルの一例の説明図である。
【図６】本発明のデジタル放送受信機の受信機制御部の通常視聴状態のフローチャート図である。
【図７】本発明のデジタル放送受信機の選局情報格納部の地上デジタル放送の場合のテーブルの一例の説明図である。
【図８】本発明のデジタル放送受信機の選局情報格納部のＢＳ／ＣＳデジタル放送の場合のテーブルの一例の説明図である。
【図９】本発明のデジタル放送受信機の通常視聴状態のＴＳ処理部の選局情報取得のフローチャート図である。
【図１０】本発明のデジタル放送受信機の通常視聴状態の受信機制御部のＰＡＴ取得のフローチャート図である。
【図１１】本発明のデジタル放送受信機の通常視聴状態の受信機制御部のＰＭＴ取得のフローチャート図である。
【図１２】本発明のデジタル放送受信機の通常視聴状態のＴＳ処理部のＥＣＭ取得のフローチャート図である。
【図１３】本発明のデジタル放送受信機の通常視聴状態のＴＳ処理部のビデオＰＥＳ／オーディオＰＥＳ／字幕ＰＥＳ取得のフローチャート図である。
【図１４】本発明のデジタル放送受信機の通常視聴状態のデコード処理部のフローチャート図である。
【図１５】本発明のデジタル放送受信機の外部入力状態の選局情報収集部のフローチャート図である。
【符号の説明】
【００９０】
１：デジタル放送受信機、１０１：受信機制御部、１０３：設定情報格納部、１０４：チューナ制御部、１０６：選局情報格納部、１０７：ＴＳ処理部、１１０：デコード制御部、１１１：出力制御部、１１２：表示切替制御部、１１３：選局情報収集部
【図１】
2009296085.tif 000003
【図２】
2009296085.tif 000004
【図３】
2009296085.tif 000005
【図４】
2009296085.tif 000006
【図５】
2009296085.tif 000007
【図６】
2009296085.tif 000008
【図７】
2009296085.tif 000009
【図８】
2009296085.tif 000010
【図９】
2009296085.tif 000011
【図１０】
2009296085.tif 000012
【図１１】
2009296085.tif 000013
【図１２】
2009296085.tif 000014
【図１３】
2009296085.tif 000015
【図１４】
2009296085.tif 000016
【図１５】
2009296085.tif 000017